(57)【特許請求の範囲】
【請求項１】
前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記ＲＦＩＤタグからの電磁波を前記電磁遮蔽材から影響されることなく前記読出装置が受信できるように、前記読出装置は前記電磁遮蔽材から所定間隔離間するように電磁遮蔽材に延びるリブを有した非電磁遮蔽材で構成したスペーサに取り付けられていることを特徴とする物品情報の読出装置を備える什器。
【請求項２】
前記収納部の棚板または天板あるいはその両者が電磁遮蔽材からなる請求項１に記載の物品情報の読出装置を備える什器。
【発明の詳細な説明】
【技術分野】
【０００１】
本発明は、物品情報が記録されたＲＦＩＤタグの情報を読み出すための読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照。）。
【０００４】
【特許文献１】特開平７−１８２３５７号公報（段落００１１−００２２、第１−３図）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。
【０００６】
そこで本発明は、このような問題点に着目してなされたもので、物品に取り付けられたＲＦＩＤタグの物品情報が含まれる電磁波が、電磁遮蔽材による影響を受けることのなく読出装置に受信される什器を提供することを目的とする。
【課題を解決するための手段】
【０００７】
上記課題を解決するために、本発明の請求項１に記載の物品情報の読出装置を備える什器は、前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記ＲＦＩＤタグからの電磁波を前記電磁遮蔽材から影響されることなく前記読出装置が受信できるように、前記読出装置は前記電磁遮蔽材から所定間隔離間するように電磁遮蔽材に延びるリブを有した非電磁遮蔽材で構成したスペーサに取り付けられていることを特徴としている。
この特徴によれば、読出装置がリブにより電磁遮蔽材から所定間隔離間されるので、読出装置からの電磁波を電磁遮蔽材に影響されることなくＲＦＩＤタグに受信させ、ＲＦＩＤタグからの電磁波を電磁遮蔽材に影響されることなく読出装置に受信させることができるだけでなく、読出装置と電磁遮蔽材との間隔を常に所定の位置で安定的して離間させ、かつリブの長さによって読出装置と電磁遮蔽材との間隔の調整が行えるとともに、リブによってスペーサの補強が行われる。
【００１１】
本発明の請求項２に記載の物品情報の読出装置を備える什器は、請求項１に記載の物品情報の読出装置を備える什器であって、前記収納部の棚板または天板あるいはその両者が電磁遮蔽材からなることを特徴としている。
この特徴によれば、例えば、収納部全体がスチール等の電磁遮蔽材で構成された什器であっても、読出装置が電磁遮蔽材から所定間隔離間されるので、ＲＦＩＤタグからの電磁波を電磁遮蔽材に影響されることなく読出装置に受信させることができる。
【発明を実施するための最良の形態】
【００１２】
本発明の実施例を以下に説明する。
【実施例１】
【００１３】
図１は本発明の実施例１である什器が適用された物品管理システムの構成を示すブロック図、図２（ａ）は実施例１の什器の正面図、（ｂ）は什器の扉を開放した状態を示す正面図、図３は図２（ｂ）の什器のＡ―Ａ線の縦断面図、図４は図２（ｂ）の什器のＢ−Ｂ線の平面断面図、図５は図２（ｂ）の什器のＣ−Ｃ線の平面断面図である。
【００１４】
図1に示されるように、物品が収納される什器１は複数設置（本実施例では３台設置）されており、これら什器１は通信ケーブル２を介して中継装置１１に接続されており、中継装置１１は通信ケーブル２を介して什器アンテナ１０に接続されている。
【００１５】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１６】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１７】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられており、これらの収納部にファイルやカルテ等の書類を収納するファイルケースや書籍等の物品７が収納されている。後述において詳述するが、什器１に収納されるファイルケースや書籍等の物品には、個々にＲＦＩＤタグが貼付されている。
【００１８】
書庫１００の上棚収納部１０１や下棚収納部１０２には、後述において詳述するが読出装置としてのＲＦＩＤアンテナが配設されており、ＲＦＩＤタグからの物品情報を含む電磁波を受信可能になっている。ＲＦＩＤアンテナは通信ケーブル２、中継装置１１、什器アンテナ１０、管理アンテナ９を介して、管理コンピュータ３に接続されており、これら什器１に収納されるＲＦＩＤタグの物品情報のデータが管理コンピュータ３に送信されることで、管理コンピュータ３で複数の什器１に収納される物品の管理を一元的に行えるようになっている。
【００１９】
また、後述において詳述するが書庫１００には、解錠ランプ１１５、施解錠装置１１７、スピーカ１１６、上棚指示ランプ１１１、下棚右指示ランプ１１２、下棚左指示ランプ１１３が設けられており、前述のＲＦＩＤアンテナと同様に通信ケーブル２、中継装置１１、什器アンテナ１０、管理アンテナ９を介して、管理コンピュータ３に接続されており、管理コンピュータ３で一元的に什器１が制御されるようになっている。
【００２０】
図２（ａ）に示されるように書庫１００には、前面がガラス扉１３によって構成されており、ガラス扉１３は左右に開閉可能な引戸構造になっており、左右それぞれに形成された左手掛部１３ｂや右手掛部１３ａで扉を開放できるようになっている。
【００２１】
正面下方には右側より、解錠ランプ１１５、施解錠装置１１７、スピーカ１１６が設けられている。施解錠装置１１７は手動によって外部から施解錠させることもできるが、通常は管理コンピュータ３からの制御データに基づいて、ガラス扉１３の施解錠が行われるようになっている。ガラス扉１３の解錠が行われると解錠ランプ１１５が点灯し、旋錠が行われると解錠ランプ１１５が消灯する構成になっている。スピーカ１１６は解錠ランプ１１５の代替手段として設けられており、ブザー等で報知できるようになっている。
【００２２】
図２（ｂ）に示されるように、書庫１００の収納部は棚板２５によって、上棚収納部１０１と下棚収納部１０２とに区分されており、上棚収納部１０１にはファイルケース１４、下棚収納部１０２には書籍１５が収納されている。
【００２３】
棚板２５には上棚指示ランプ１１１が設けられており、下棚収納部１０２の両側面には側面スペーサ２０がそれぞれ取り付けられており、下棚の右側の側面スペーサ２０には下棚右指示ランプ１１２、左側の側面スペーサ２０には下棚左指示ランプ１１３が設けられており、管理コンピュータ３からの制御データに基づいて、ランプの点灯消灯が制御されるようになっている。
【００２４】
そこで、本実施例の什器１が適用された物品管理システムの使用方法の一例である物品の貸出方法を説明すると、書籍１５の貸出しを希望する利用者によって、図１に示される入力端末４より所望の書籍１５がリストアップされ、貸出し予約が行われる。
【００２５】
管理コンピュータ３は入力端末４からの貸出し予約に基づいて、該当する書籍１５が収納される什器１の収納場所（本実施例においては書庫１００の下棚収納部１０２とする）を特定する。
【００２６】
そして、管理コンピュータ３は特定された収納場所である書庫１００の施解錠装置１１７に解錠信号、解錠ランプ１１５と下棚右指示ランプ１１２と下棚左指示ランプ１１３に点灯信号を送信する。
【００２７】
管理コンピュータ３からの解錠信号に基づいて施解錠装置１１７が解錠され、点灯信号に基づいて図２（ｂ）に示されるように、解錠ランプ１１５と下棚右指示ランプ１１２と下棚左指示ランプ１１３が点灯される。
【００２８】
そこで、解錠ランプ１１５の点灯を目印に書籍１５の収納場所まで利用者に移動してもらい、すでに解錠信号によって解錠されたガラス扉１３を利用者に開放してもらう。
【００２９】
下棚右指示ランプ１１２と下棚左指示ランプ１１３が予め管理コンピュータ３からの点灯信号に基づいて点灯していることから、利用者に対して下棚収納部１０２に貸出し予約された書籍１５がある旨の報知がされている。
【００３０】
利用者によって貸出し予約された書籍１５が下棚収納部１０２から取り出されると、下棚収納部１０２に配設されたＲＦＩＤアンテナが書籍１５に貼付されたＲＦＩＤタグからの電磁波が受信できなくなるので、管理コンピュータ３は書籍１５の貸出しが行われたと判断し、貸出し完了となる。
【００３１】
また、利用者が誤って貸出し予約した書籍１５とは違う書籍１５を下棚収納部１０２から取り出した場合や、下棚収納部１０２に貸出し予約した書籍１５とは違う他の書籍１５が収納された場合には、管理コンピュータ３から下棚指示ランプ１１２やスピーカ１１６、解錠ランプ１１５に対してエラー信号を送信し、ランプの点滅やブザーによる報知を行うことで、利用者や管理者にエラー報知を行うようになっている。
【００３２】
次に、書庫１００の内部に配設されたＲＦＩＤアンテナとＲＦＩＤタグの関係を図３、図４、図５を用いて、さらに詳述して説明する。
【００３３】
図３に示されるように、書庫１００は、電磁遮蔽材である天板１６、背面板１７、側面板１９、底板として構成されている棚板２６、から構成されている。書庫１００の内部空間は電磁遮蔽材である棚板２５によって上下に区画され、上棚収納部１０１、下棚収納部１０２が形成されている。下棚収納部１０２の側面板１９には、棚板２５と棚板２６の間に挟持されるように後において詳述する側面スペーサ２０が取り付けられている。
【００３４】
上棚収納部１０１の背面板１７には、非電磁遮蔽材（本実施例では硬質プラスチック材）から構成された背面スペーサ１８が取り付けられている。背面スペーサ１８には複数のリブ１８ａが設けられており、このリブ１８ａによって背面スペーサ１８の補強が施されている。
【００３５】
リブ１８ａの一部には背面ＲＦＩＤアンテナ４１を取り付けるための取付溝（図示略）が形成されている。このリブ１８ａの長さによって背面ＲＦＩＤアンテナ４１と背面板１７との間隔の調整が行われている。
【００３６】
このことから、背面ＲＦＩＤアンテナ４１は背面板１７から所定間隔（Ｌ１）位置で離間され、常に所定の位置に安定して配設されており、同様に棚板２５から背面ＲＦＩＤアンテナ４１が所定間隔（Ｌ２）で離間されて配設されている。
【００３７】
なお、ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００３８】
そこで、本実施例においては図３に示されるように、什器１に適用された背面ＲＦＩＤアンテナ４１と背面板１７との間隔（Ｌ１）を５０ｍｍとし、背面ＲＦＩＤアンテナ４１と棚板２５、２６との間隔（Ｌ２）を５０ｍｍとし、側面ＲＦＩＤアンテナ４３、４２とガラス扉１３との間隔（Ｌ３）を５０ｍｍとし、図４、５において示す、背面ＲＦＩＤアンテナ４１と側面板１９との間隔（Ｌ４）を５０ｍｍとする。
【００３９】
図４に示されるように、背面ＲＦＩＤアンテナ４１は背面スペーサ１８によって、左右の側面板１９から所定間隔（Ｌ４）離間され、リブ１８ａの所定位置に安定的に取り付けられている。上棚収納部１０１にはファイルケース１４が複数収納されており、ファイルケース１４のガラス扉１３側と背面板１７側にはＲＦＩＤタグ３０がそれぞれ貼付されている。
【００４０】
このように、実施例１の上棚収納部１０１では、読出装置に相当する背面ＲＦＩＤアンテナ４１は、電磁遮蔽材に相当する背面板１７、左右の側面板１９、棚板２５から所定間隔（Ｌ１、Ｌ４、Ｌ２）離間されるので、背面ＲＦＩＤアンテナ４１とＲＦＩＤタグ３０との電磁波が背面板１７、左右の側面板１９、棚板２５から影響を受けることがなく、ＲＦＩＤタグ３０の物品情報の読み出しが正確に行える什器１となっている。
【００４１】
図５に示されるように、下棚収納部１０２の左右の側面板１９には、それぞれ側面スペーサ２０が取り付けられている。側面スペーサ２０には取付溝（図示略）が形成された複数のリブ２０ａが設けられている。右側の側面スペーサ２０のリブ２０ａに形成した取付溝には側面ＲＦＩＤアンテナ４２が、左側の側面スペーサ２０のリブ２０ａに形成した取付溝には側面ＲＦＩＤアンテナ４３が所定の位置で安定して取り付けられている。
【００４２】
これら側面ＲＦＩＤアンテナ４２と側面ＲＦＩＤアンテナ４３の所定の取付位置は、図３に示されるように、背面板１７から側面ＲＦＩＤアンテナ４３（４２）が所定間隔（Ｌ１）で離間されて配設されており、同様に棚板２６から側面ＲＦＩＤアンテナ４３（４２）が所定間隔（Ｌ２）で離間されて配設されている。
【００４３】
そして、図５に示されるように、右側の側面板１９から側面ＲＦＩＤアンテナ４２が所定間隔（Ｌ４）で離間されて配設されており、左側の側面板１９から側面ＲＦＩＤアンテナ４３が所定間隔（Ｌ４）で離間されて配設されている。下棚収納部１０２には書籍１５が複数収納されており、書籍１５の両側面にはＲＦＩＤタグ３０が貼付されている。
【００４４】
なお、図３に示されるように、本実施例の什器１では非電磁遮蔽材であるガラス扉１３が利用されているので、側面ＲＦＩＤアンテナ４２、４３とガラス扉１３との間隔（Ｌ３）を設けなくとも、ＲＦＩＤアンテナとＲＦＩＤタグとの電磁波の送受信には特に問題はないが、書庫１００の前面扉がガラス扉１３ではなく、特にスチール等の電磁遮蔽材によって前面扉が構成される場合も想定して、予め電磁波が影響を受けないように間隔（Ｌ３）が設けられている。
【００４５】
以上の説明により実施例１の下棚収納部１０２では、読出装置に相当する側面ＲＦＩＤアンテナ４３、４２は、電磁遮蔽材に相当する背面板１７、左右の側面板１９、棚板２６から所定間隔（Ｌ１、Ｌ４、Ｌ２）離間されるので、側面ＲＦＩＤアンテナ４３、４２とＲＦＩＤタグ３０との電磁波が背面板１７、左右の側面板１９、棚板２６から影響を受けることがなく電磁波の送受信が行え、ＲＦＩＤタグ３０の物品情報の読み出しが正確に行える什器１となっている。
【実施例２】
【００４６】
本発明の実施例２の説明を図６、図７に基づき説明する。図６は本発明の実施例２である什器の上棚収納部の平面断面図であり、図７は同じく什器の下棚収納部の平面断面図である。なお、前記実施例１と同様の構造部分に関しては、同一の符号を付すことにより詳細な説明は省略することとする。
【００４７】
前記の実施例１の上棚収納部１０１においては、背面スペーサ１８を用いることで、背面板１７から背面ＲＦＩＤアンテナ４１を所定間隔（Ｌ１）離間させていたが（図４参照）、実施例２のものは背面スペーサを用いずに背面ＲＦＩＤアンテナを磁性体を介して背面板に取り付けた点で相違している。
【００４８】
まず、図６に示されるように、上棚収納部１０１にはＲＦＩＤタグ３０が貼付されたファイルケース１４が複数収納されている。背面板１７には、磁性体２１、背面ＲＦＩＤアンテナ４１が順に多層状に配設され取り付けられており、背面ＲＦＩＤアンテナ４１にはアンテナ保護被膜２２が被覆され、例えばファイルケース１４の収納時における傷や故障等の発生を未然に防ぐようになっている。
【００４９】
背面板１７と背面ＲＦＩＤアンテナ４１の間に介挿される磁性体２１は、電磁遮蔽材である背面板１７が電磁波に与える影響を防ぐ特性を有している。このことから、背面板１７に近接して背面ＲＦＩＤアンテナ４１が配設されている場合でも、背面板１７と背面ＲＦＩＤアンテナ４１との間に磁性体２１が介挿されていれば、背面ＲＦＩＤアンテナ４１とＲＦＩＤタグ３０とが相互に送受信を行う電磁波は背面板１７に影響されることがなく、ＲＦＩＤタグ３０に記録される物品情報を含む電磁波の読み取りに不具合を生じさせることがない。
【００５０】
以上の説明により実施例２の上棚収納部１０１では、電磁遮蔽材に相当する背面板１７と、読出装置に相当する背面ＲＦＩＤアンテナ４１との間に磁性体２１が介挿されているので、背面ＲＦＩＤアンテナ４１とＲＦＩＤタグ３０との電磁波が背面板１７から影響を受けることがなく、ＲＦＩＤタグ３０の物品情報の読み出しが正確に行える。
【００５１】
しかも、背面板１７と背面ＲＦＩＤアンテナ４１との間隔が前記実施例１の間隔（Ｌ１）よりもさらに間隔幅の狭い間隔（Ｌ５）となることから、上棚収納部１０１の収納スペースが充分確保される什器１となっている。
【００５２】
次に、磁性体２１が適用された背面ＲＦＩＤアンテナ４１と同様の構成を用いて、図７に示されるように、下棚収納部１０２の左右の側面板１９に側面ＲＦＩＤアンテナ４３、４２を取り付けた構造ついて以下に説明する。
【００５３】
下棚収納部１０２にはＲＦＩＤタグ３０が貼付された書籍１５が複数収納されている。左右の側面板１９には、磁性体２１、側面ＲＦＩＤアンテナ４３（４２）が順に配設され取り付けられており、側面ＲＦＩＤアンテナ４３、４２にはアンテナ保護被膜２２が被覆されている。
【００５４】
このように、側面板１９の近傍に側面ＲＦＩＤアンテナ４２、４３が配設されている場合でも、側面板１９と側面ＲＦＩＤアンテナ４２、４３との間に磁性体２１が介挿されていれば、側面ＲＦＩＤアンテナ４３、４２とＲＦＩＤタグ３０とが相互に送受信を行う電磁波は側面板１９によって影響されることがない。
【００５５】
以上の説明により実施例２の下棚収納部１０２では、電磁遮蔽材に相当する左右の側面板１９と、読出装置に相当する側面ＲＦＩＤアンテナ４３、４２との間に、磁性体２１がそれぞれ介挿されているので、側面ＲＦＩＤアンテナ４３、４２とＲＦＩＤタグ３０との電磁波が側面板１９から影響を受けることがなく、ＲＦＩＤタグ３０の物品情報の読み出しが正確に行える。
【００５６】
しかも、左右の側面板１９と側面ＲＦＩＤアンテナ４３、４２との間隔が前記実施例１の間隔（Ｌ４）よりもさらに間隔幅の狭い間隔（Ｌ６）となることから、下棚収納部１０２の収納スペースが充分確保される什器１となっている。
【００５７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、ＲＦＩＤアンテナ（４１、４２、４３）とＲＦＩＤタグ（３０）の電磁波の送受信が電磁遮蔽材（１６、１７、１９、２５、２６）から影響を受けないように、スペーサ（１８、２０）や磁性体（２１）を取り付けていたが、本発明はこれらスペーサや磁性体に限定されるものではなく、ＲＦＩＤアンテナとＲＦＩＤタグの電磁波の送受信が電磁遮蔽材の影響から受けないように、ＲＦＩＤアンテナと電磁遮蔽材とを所定間隔離間した構成にするだけでも良い。
【図面の簡単な説明】
【００５８】
【図１】本発明の実施例１である什器が適用された物品管理システムの構成を示すブロック図である。
【図２】（ａ）は、実施例１の什器の正面図である。  （ｂ）は、什器の扉を開放した状態を示す正面図である。
【図３】図２（ｂ）の什器のＡ―Ａ線の縦断面図である。
【図４】図２（ｂ）の什器のＢ−Ｂ線の平面断面図である。
【図５】図２（ｂ）の什器のＣ−Ｃ線の平面断面図である。
【図６】本発明の実施例２である什器の上棚収納部の平面断面図である。
【図７】本発明の実施例２である什器の下棚収納部の平面断面図である。
【符号の説明】
【００５９】
１                什器
２                通信ケーブル
３                管理コンピュータ
４                入力端末
５                ＲＦＩＤリーダ／ライタ
６                利用者認証カード
７                物品
８                ＬＡＮケーブル
９                管理アンテナ
１０              什器アンテナ
１１              中継装置
１３              ガラス扉
１３ａ            右手掛部
１３ｂ            左手掛部
１４              ファイルケース
１５              書籍
１６              天板（電磁遮蔽材）
１７              背面板（電磁遮蔽材）
１８              背面スペーサ（スペーサ）
１８ａ            リブ
１９              側面板（電磁遮蔽材）
２０              側面スペーサ（スペーサ）
２０ａ            リブ
２１              磁性体
２２              アンテナ保護被膜
２５              棚板（電磁遮蔽材）
２６              底板の棚板（電磁遮蔽材）
３０              ＲＦＩＤタグ
４１              背面ＲＦＩＤアンテナ（読出装置）
４２              右側の側面ＲＦＩＤアンテナ（読出装置）
４３              左側の側面ＲＦＩＤアンテナ（読出装置）
１００            書庫
１０１            上棚収納部（収納部）
１０２            下棚収納部（収納部）
１１１            上棚指示ランプ
１１２            下棚右指示ランプ
１１３            下棚左指示ランプ
１１５            解錠ランプ
１１６            スピーカ
１１７            施解錠装置
２００            ラテラル
２０１、２０２、２０３、２０４      引き出し
【図１】
0004625624.tif 000002
【図２】
0004625624.tif 000003
【図３】
0004625624.tif 000004
【図４】
0004625624.tif 000005
【図５】
0004625624.tif 000006
【図６】
0004625624.tif 000007
【図７】
0004625624.tif 000008